(57)【要約】  ワイヤレス通信デバイス及び方法はＬＴＥ規格に従ってデータを送信及び受信する第１チップとＷＬＡＮでデータを送信及び受信するよう第１チップと並行して動作する第２チップとを備える処理ユニットを用いる（３０１）。処理ユニットは、ＷＬＡＮで第２チップによりデータを送信及び受信し得る複数のアクセスポイント（ＡＰ）を決め（３０３）、各異なるＡＰに対し、第２チップによるＷＬＡＮでのデータの送信又は受信と同時の、ＬＴＥ規格に従った第１チップによるデータの送信又は受信が第１チップと第２チップの全体のスループットを減少させるかどうかを少なくとも決定することを含む複数の要因に基づいて、最適ＡＰを特定する（３０５）。第２チップが最適ＡＰ以外のＡＰを介してＷＬＡＮに予め接続されている場合、処理ユニットは、第２チップを、最適ＡＰ以外のＡＰから切断し（３０７）、最適ＡＰを介してＷＬＡＮに接続する（３０９）。
2015523832.tif 000002
【特許請求の範囲】
【請求項１】
ワイヤレスにデータを送信および受信することのできるデバイスであって、
処理ユニットを含み、
当該処理ユニットが
ロングタームエボリューション（ＬＴＥ）規格に従ってデータを送信および受信する第１のチップと、
前記第１のチップと並行して動作し、また、ワイヤレスローカルエリアネットワーク（ＷＬＡＮ）でデータを送信および受信する、第２のチップと、
を含み、
前記処理ユニットが、
ＷＬＡＮで前記第２のチップによりそれを介してデータが送信および受信され得る、複数のアクセスポイント（ＡＰ）を決定し、
前記第２のチップによるＷＬＡＮでのデータの送信または受信と同時の、ＬＴＥ規格に従った前記第１のチップによるデータの送信または受信が、前記第１のチップと前記第２のチップの全体のスループットを減少させるかどうかを、各異なるＡＰについて、少なくとも判定することを含む複数の要因に基づき最適なＡＰを特定し、
前記第２のチップが、前記最適なＡＰ以外の任意のＡＰを介してＷＬＡＮに予め接続されている場合に、前記最適なＡＰ以外の前記任意のＡＰから前記第２のチップを切断し、
第２のチップを前記最適なＡＰを介してＷＬＡＮに接続する、
ように構成される、
デバイス。
【請求項２】
請求項１に記載のデバイスであって、前記複数の要因が、各異なるＡＰのパフォーマンススピード容量、各異なるＡＰのネットワーク負荷、各異なるＡＰの受信信号強度表示（ＲＳＳＩ）、および各異なるＡＰの信号対ノイズ比（ＳＮＲ）を少なくともさらに含む、デバイス。
【請求項３】
請求項２に記載のデバイスであって、最適のＡＰを特定することが、
各異なるＡＰの前記パフォーマンススピード容量、各異なるＡＰの前記ネットワーク負荷、各異なるＡＰの前記ＲＳＳＩ、および各異なるＡＰの前記ＳＮＲを含む前記複数の要因に基づき、前記複数のＡＰの各々にグレードを提供することであって、より高いグレードが、前記第１のチップおよび前記第２のチップのより高いスループットを示すこと、
特定のＡＰの前記第２のチップによるＷＬＡＮでのデータの前記送信または受信と同時の、ＬＴＥ規格に従った前記第１のチップによるデータの送信または受信が、前記特定のＡＰの前記第１のチップと前記第２のチップの全体のスループットを減少させると判定する場合に、前記特定のＡＰのグレードを下方に調整すること、および、
これに続いて、前記複数のＡＰのうちのどのＡＰが最高のグレードを有するかを判定すること、
を含む、デバイス。
【請求項４】
請求項１に記載のデバイスであって、各異なるＡＰについて、前記第２のチップによるＷＬＡＮでのデータの前記送信または受信と同時の、ＬＴＥ規格に従った前記第１のチップによるデータの送信または受信が、前記第１のチップと前記第２のチップの全体のスループットを減少させると判定することが、
各異なるＡＰについて、ＷＬＡＮでの前記第２のチップによるデータの受信が、ＬＴＥ規格に従った前記第１のチップによるデータの同時の送信によってブロックされるかどうかを判定すること、
を含む、デバイス。
【請求項５】
請求項１に記載のデバイスであって、各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップの全体のスループットを減少させるかどうかを判定することが、
各異なるＡＰについて、ＷＬＡＮでの前記第２のチップによるデータの送信が、ＬＴＥ規格に従った前記第１のチップによるデータの受信の間相互変調を生じさせるかどうかを判定すること、
を含む、デバイス。
【請求項６】
請求項１に記載のデバイスであって、各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップの全体のスループットを減少させるかどうかを判定することが、
各異なるＡＰについて、ＷＬＡＮでの前記第２のチップによるデータの受信が、ＬＴＥ規格に従った前記第１のチップによるデータの同時の送信によりブロックされるかどうかを判定すること、および、
各異なるＡＰについて、ＷＬＡＮでの前記第２のチップによるデータの送信が、ＬＴＥ規格に従った前記第１のチップによるデータの受信の間相互変調を生じさせるかどうかを判定すること、
を含む、デバイス。
【請求項７】
請求項１に記載のデバイスであって、最適のＡＰを特定することが、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップの全体のスループットを減少させるかどうかを判定すること以外の、１つまたは複数のパフォーマンス要因に基づいて、前記複数のＡＰの各々にグレードを提供することであって、より高いグレードが、前記第１のチップおよび前記第２のチップのより高いスループットを示すこと、
特定のＡＰの前記第２のチップによるＷＬＡＮでのデータの前記送信または受信と同時の、ＬＴＥ規格に従った前記第１のチップによるデータの送信または受信が、前記特定のＡＰの前記第１のチップと前記第２のチップの全体のスループットを減少させると判定する場合に、前記特定のＡＰのグレードを下方に調整すること、および、
それに続いて、前記複数のＡＰのうちのどのＡＰが最高のグレードを有するかを判定すること、
を含む、デバイス。
【請求項８】
ワイヤレスにデータを送信および受信することができるデバイスであって、ロングタームエボリューション（ＬＴＥ）規格に従ってデータを送信および受信する第１のチップと、前記第１のチップと並行して動作し、ワイヤレスローカルエリアネットワーク（ＷＬＡＮ）でデータを送信および受信する第２のチップとを備える処理ユニットを含むデバイスにおいて実装される方法であって、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップの全体のスループットを減少させるかどうかを少なくとも判定することを含む複数の要因に基づき、最適のＡＰを前記処理ユニットによって特定すること、
前記第２のチップが、前記最適なＡＰ以外の任意のＡＰを介してＷＬＡＮに予め接続されている場合に、前記処理ユニットによって、前記最適なＡＰ以外の前記任意のＡＰから前記第２のチップを切断すること、および、
前記処理ユニットによって、前記第２のチップを前記最適なＡＰを介してＷＬＡＮに接続すること、
を含む方法。
【請求項９】
請求項８に記載の方法であって、前記複数の要因が、各異なるＡＰのパフォーマンススピード容量、各異なるＡＰのネットワーク負荷、各異なるＡＰの受信信号強度表示（ＲＳＳＩ）、および各異なるＡＰの信号対ノイズ比（ＳＮＲ）を少なくともさらに含む、方法。
【請求項１０】
請求項９に記載の方法であって、最適なＡＰを特定することが、
各異なるＡＰの前記パフォーマンススピード容量、各異なるＡＰの前記ネットワーク負荷、各異なるＡＰの前記ＲＳＳＩ、および各異なるＡＰの前記ＳＮＲを含む前記複数の要因に基づき、前記処理ユニットによって、前記複数のＡＰの各々にグレードを提供することであって、より高いグレードが、前記第１のチップおよび前記第２のチップのより高いスループットを示すこと、
特定のＡＰの前記第２のチップによるＷＬＡＮでのデータの前記送信または受信と同時の、ＬＴＥ規格に従った前記第１のチップによるデータの送信または受信が、前記第１のチップと前記第２のチップの全体のスループットを減少させると判定する場合に、前記処理ユニットによって、前記特定のＡＰのグレードを下方に調整すること、および、
これに続いて、前記処理ユニットによって、前記複数のＡＰのうちのどのＡＰが最高のグレードを有するかを判定すること、
を含む、方法。
【請求項１１】
請求項８に記載の方法であって、各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップの全体のスループットを減少させるかどうかを判定することが、
各異なるＡＰについて、ＷＬＡＮでの前記第２のチップによるデータの受信が、ＬＴＥ規格に従った前記第１のチップによるデータの同時の送信によってブロックされるかどうかを、前記処理ユニットによって判定すること、
を含む、方法。
【請求項１２】
請求項８に記載の方法であって、各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップの全体のスループットを減少させるかどうかを判定することが、
ＷＬＡＮでの前記第２のチップによるデータの送信が、ＬＴＥ規格に従った前記第１のチップによるデータの受信の間相互変調を生じさせるかどうかを、前記処理ユニットによって判定すること、
を含む、方法。
【請求項１３】
請求項８に記載の方法であって、各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップの全体のスループットを減少させるかどうかを判定することが、
各異なるＡＰについて、ＷＬＡＮでの前記第２のチップによるデータの受信が、ＬＴＥ規格に従った前記第１のチップによるデータの同時の送信によってブロックされるかどうかを、前記第２のチップによって判定すること、および、
ＷＬＡＮでの前記第２のチップによるデータの送信が、ＬＴＥ規格に従った前記第１のチップによるデータの受信の間相互変調を生じさせるかどうかを、前記第２のチップによって判定すること、
を含む、方法。
【請求項１４】
請求項８に記載の方法であって、最適のＡＰを特定することが、
各異なるＡＰについて、前記第２のチップによるＷＬＡＮでのデータの送信または受信と同時の、ＬＴＥ規格での前記第１のチップによるデータの送信または受信が、前記第１のチップと前記第２のチップの全体のスループットを減少させるかどうかを判定すること以外の、１つまたは複数のパフォーマンス要因に基づいて、前記処理ユニットによって、前記複数のＡＰの各々にグレードを提供することであって、より高いグレードが、前記第１のチップおよび前記第２のチップのより高いスループットを示すこと、
特定のＡＰの前記第２のチップによるＷＬＡＮでのデータの前記送信または受信と同時の、ＬＴＥ規格に従った前記第１のチップによるデータの送信または受信が、前記特定のＡＰの前記第１のチップと前記第２のチップの全体のスループットを減少させると判定する場合に、前記処理ユニットによって、前記特定のＡＰのグレードを下方に調整すること、および、
それに続き、前記処理ユニットによって、前記複数のＡＰのうちのどのＡＰが最高のグレードを有するかを判定すること、
を含む、方法。
【請求項１５】
記憶される命令を備えた持続性コンピュータ可読記憶媒体であって、ワイヤレスにデータを送信および受信することのできるデバイスにおいて、ロングタームエボリューション（ＬＴＥ）規格に従ってデータを送信および受信する第１のチップと、前記第１のチップと並行して動作し、ワイヤレスローカルエリアネットワーク（ＷＬＡＮ）でデータを送信および受信する第２のチップとを備える処理ユニットによって実行される場合に、当該デバイスにおいて実行される方法が、
ＷＬＡＮで前記第２のチップによりそれを介してデータが送信および受信され得る、複数のアクセスポイント（ＡＰ）を判定すること、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップの全体のスループットを減少させるかどうかを判定することを少なくとも含む複数の要因に基づき、最適なＡＰを特定すること、
前記第２のチップが、前記最適なＡＰ以外の任意のＡＰを介してＷＬＡＮに予め接続されている場合に、前記最適なＡＰ以外の前記任意のＡＰから前記第２のチップを切断すること、および、
前記処理ユニットによって、前記第２のチップを前記最適なＡＰを介してＷＬＡＮに接続すること、
を含む、持続性コンピュータ可読記憶媒体。
【請求項１６】
請求項１５に記載の持続性コンピュータ可読記憶媒体であって、前記複数の要因が、各異なるＡＰのパフォーマンススピード容量、各異なるＡＰのネットワーク負荷、各異なるＡＰの受信信号強度表示（ＲＳＳＩ）、および各異なるＡＰの信号対ノイズ比（ＳＮＲ）を少なくともさらに含む、持続性コンピュータ可読記憶媒体。
【請求項１７】
請求項１６に記載の持続性コンピュータ可読記憶媒体であって、最適のＡＰを特定することが、
各異なるＡＰの前記パフォーマンススピード容量、各異なるＡＰの前記ネットワーク負荷、各異なるＡＰの前記ＲＳＳＩ、および各異なるＡＰの前記ＳＮＲを含む前記複数の要因に基づいて、前記複数のＡＰの各々にグレードを提供することであって、より高いグレードが、前記第１のチップおよび前記第２のチップのより高いスループットを示すこと、
特定のＡＰの前記第２のチップによるＷＬＡＮでのデータの前記送信または受信と同時の、ＬＴＥ規格に従った前記第１のチップによるデータの送信または受信が、前記第１のチップと前記第２のチップの全体のスループットを減少させると判定する場合に、前記特定のＡＰのグレードを下方に調整すること、および、
それに続き、前記複数のＡＰのうちのどのＡＰが最高のグレードを有するかを判定すること、
を含む、持続性コンピュータ可読記憶媒体。
【請求項１８】
請求項１５に記載の持続性コンピュータ可読記憶媒体であって、各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップの全体のスループットを減少させるかどうかを判定することが、
各異なるＡＰについて、ＷＬＡＮでの前記第２のチップによるデータの受信が、ＬＴＥ規格に従った前記第１のチップによるデータの同時の送信によってブロックされるかどうかを判定すること、
を含む、持続性コンピュータ可読記憶媒体。
【請求項１９】
請求項１５に記載の持続性コンピュータ可読記憶媒体であって、各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップの全体のスループットを減少させるかどうかを判定することが、
各異なるＡＰについて、ＷＬＡＮでの前記第２のチップによるデータの送信が、ＬＴＥ規格に従った前記第１のチップによるデータの受信の間相互変調を生じさせるかどうかを判定すること、
を含む、持続性コンピュータ可読記憶媒体。
【請求項２０】
請求項１５に記載の持続性コンピュータ可読記憶媒体であって、最適のＡＰを特定することが、
各異なるＡＰについて、前記第２のチップによるＷＬＡＮでのデータの送信または受信と同時の、ＬＴＥ規格での前記第１のチップによるデータの送信または受信が、前記第１のチップと前記第２のチップの全体のスループットを減少させるかどうかを判定すること以外の、１つまたは複数のパフォーマンス要因に基づいて、前記複数のＡＰの各々にグレードを提供することであって、より高いグレードが、前記第１のチップおよび前記第２のチップのより高いスループットを示すこと、
特定のＡＰの前記第２のチップによるＷＬＡＮでのデータの前記送信または受信と同時の、ＬＴＥ規格に従った前記第１のチップによるデータの送信または受信が、前記特定のＡＰの前記第１のチップと前記第２のチップの全体のスループットを減少させると判定する場合に、前記特定のＡＰのグレードを下方に調整すること、および、
それに続き、前記複数のＡＰのうちのどのＡＰが最高のグレードを有するかを判定すること、
を含む、持続性コンピュータ可読記憶媒体。
【発明の詳細な説明】
【技術分野】
【０００１】
本願は、一般に、ワイヤレスデータ通信方法およびデバイスに関し、詳細には、ロングタームエボリューション（ＬＴＥ）規格に従ったデータの同時ワイヤレス通信と、産業、科学、および医療用（ＩＳＭ）無線バンドにおけるワイヤレス通信とに関する。
【背景技術】
【０００２】
ワイヤレス電話およびワイヤレスタブレットを含むワイヤレス通信デバイスには、複数のプロトコルに従ってデータをワイヤレスで送信および受信するものがある。これらのプロトコルは、概して、広域通信および狭域通信を含むものと特徴付けられ得る。ワイヤレス通信デバイスは、ＩＥＥＥ８０２．１１（「８０２．１１」）規格などの狭域プロトコルに従って、狭域の（例えば、３０メートル未満の）通信を行い得る。
【０００３】
８０２．１１規格は、この規格の商用の名称である「ＷｉＦｉ」として一般に知られている。ワイヤレス配信方法を用いて２つ以上のデバイスをリンクさせる、たいていのワイヤレスローカルエリアネットワーク（ＷＬＡＮ）は、８０２．１１規格を実装する。８０２．１１規格に従って送信されるワイヤレス信号は、２４５０ＭＨｚ（２．４５ＧＨｚ）の周波数で伝搬する。
【０００４】
８０２．１１に従って生成されるワイヤレス信号は、産業、科学、および医療用（ＩＳＭ）無線バンド内の周波数によって特徴付けられる。ＩＳＭ無線バンドは、通信以外の、産業、科学、および医療用の目的で無線周波数（ＲＦ）エネルギーを使用するために国際的に確保された電波スペクトルの一部である。ＩＳＭバンドにおける用途の例には、高周波プロセス加熱、電子レンジ、および医療用ジアテルミー機器が含まれる。これらのデバイスの強力な放出が、電磁干渉を引き起こすことがあり、同一周波数を用いる無線通信を妨害することがある。これが、ＩＳＭデバイスが特定の周波数のバンドに限定された理由である。
【０００５】
本来の割り当ての意図にも関わらず、近年、８０２．１１規格に従ったＷＬＡＮ通信などの狭域低電力通信システムのために、ＩＳＭバンドの使用が急速に拡大している。ＩＳＭバンドにおいて動作するその他の通信システムには、コードレス（非携帯式）電話、Ｂｌｕｅｔｏｏｔｈ（商標）デバイス、および近距離無線通信（ＮＦＣ）システムがある。一般的に、ＩＳＭバンドにおいて動作する通信機器は、ＩＳＭ機器により生成される干渉に耐える必要があり、ユーザは、ＩＳＭデバイスからの法規的な保護がない。
【０００６】
しかしながら、ＷＬＡＮ通信を実行するさらに大きな問題は、１つまたは複数の広域プロトコルに従って生成される同時ワイヤレス通信に関する。これらの広域プロトコルは、国際電気通信連合による２０００年式移動通信方式（Ｉｎｔｅｒｎａｔｉｏｎａｌ  Ｍｏｂｉｌｅ  Ｔｅｌｅｃｏｍｍｕｎｉｃａｔｉｏｎｓ‐２０００、ＩＭＴ−２０００）を実現する携帯電話および移動通信サービスのための規格の一世代である「３Ｇ」を含め、第３世代パートナーシッププロジェクト（３ＧＰＰ）によって公表された規格を含む。他のさらに最近の広域プロトコルは、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）およびロングタームエボリューション（ＬＴＥ）規格を含む、「４Ｇ」プロトコルである。
【０００７】
ＷｉＭＡＸ規格は、ワイヤレスネットワーク規格のＩＥＥＥ８０２．１６ファミリーの商業上の実装である。ＷｉＭＡＸ規格は、従来のＷＬＡＮの３０メートルのワイヤレス範囲をはるかに凌ぐ範囲にわたり、３０〜４０メガビット毎秒データレートを提供する。具体的には、ＷｉＭＡＸ信号は、半径約５０ｋｍの信号で提供される。
【０００８】
４Ｇ‐ＬＴＥとして市場に出されているＬＴＥ規格は、３ＧＰＰによって開発されたワイヤレス通信用の規格であり、プロジェクトのリリース８ドキュメントシリーズに規定され、わずかな高度化がリリース９に記載されている。ワイヤレスデータ通信用のＬＴＥ規格は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＭＳ）／Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格の発展である。ＬＴＥ規格の目標は、２０００年頃に開発された新たなデジタル信号処理技術および変調を用いて、ワイヤレスデータネットワークの容量および速度を向上させることであった。別の目標は、３Ｇアーキテクチャと比較して転送待ち時間を著しく削減したＩＰベースシステムへの、ネットワークアーキテクチャの再設計および単純化であった。
【０００９】
上述のように、ワイヤレス通信デバイスが、ＷＬＡＮ信号と、３Ｇまたは４Ｇ  ＬＴＥ信号とを同時に処理する場合、幾つかの問題が生じる。こういった問題が生じるのは、３Ｇおよび４Ｇ  ＬＴＥ規格が、ＷＬＡＮ（およびＢｌｕｅｔｏｏｔｈ（商標））信号が伝搬するＩＳＭバンドに隣接または重複する周波数を有する信号で実装されるからである。この信号の重複のために、例えば、重複する周波数で、あるデバイスによってＬＴＥ信号が伝送される場合、同時に伝送されたＷＬＡＮ信号がこのデバイスによって受信されることが妨害され得る。さらに、信号がＷＬＡＮでこのデバイスによって送信される場合、当該信号は、このデバイスによって受信されるＬＴＥ信号と相互変調され得る。それゆえ、必要とされるのは、ＷＬＡＮ信号とＬＴＥ信号を同時に処理でき、ＷＬＡＮ信号とＬＴＥ信号の周波数の重複に責任を負うことのできるワイヤレス通信デバイスである。
【発明の開示】
【課題を解決するための手段】
【００１０】
本明細書において開示する一実施形態は、データをワイヤレスに送信および受信するように動作可能なデバイスに関する。デバイスは、ロングタームエボリューション（ＬＴＥ）規格に従ってデータを送信および受信する第１のチップを備える処理ユニットを含む。処理ユニットはさらに、第１のチップと並行して動作し、ワイヤレスローカルエリアネットワーク（ＷＬＡＮ）でデータを送信および受信する、第２のチップを含む。
【００１１】
処理ユニットは複数のアクセスポイント（ＡＰ）を決定するように構成され、このＡＰを介してデータがＷＬＡＮで第２のチップによって送信および受信され得る。処理ユニットはさらに、各異なるＡＰのために、第２のチップによるＷＬＡＮでのデータの送信または受信と同時の、ＬＴＥ規格に従った第１のチップによるデータの送信または受信が、第１のチップと第２のチップの全体のスループットを減少させるかどうかを少なくとも判断することを含め、複数の要因に基づき最適のＡＰを特定するように構成される。
【００１２】
第２のチップは、最適なＡＰ以外の任意のＡＰを介してＷＬＡＮに予め接続され得る。この場合、処理ユニットはさらに、最適なＡＰ以外のこの任意のＡＰから第２のチップを切断するように構成される。処理ユニットはさらに、最適なＡＰを介してＷＬＡＮに第２のチップを接続するように構成される。
【００１３】
データをワイヤレスに送信および受信するように動作可能なデバイスにおいて実装される方法も、本明細書において開示される。デバイスは、ロングタームエボリューション（ＬＴＥ）規格に従ってデータを送信および受信する第１のチップを備える処理ユニットを含む。処理ユニットはさらに、第１のチップと並行して動作し、ローカルエリアネットワーク（ＷＬＡＮ）でデータを送信および受信する第２のチップを備える。
【００１４】
方法は、処理ユニットによって複数のアクセスポイント（ＡＰ）を決定することを含む。このアクセスポイントを介して、データがＷＬＡＮで第２のチップによって送信および受信され得る。方法はさらに、各異なるＡＰのために、第２のチップによるＷＬＡＮでのデータの送信または受信と同時の、ＬＴＥ規格に従った第１のチップによるデータの送信または受信が、第１のチップと第２のチップの全体のスループットを減少させるかどうかを少なくとも判断することを含め、複数の要因に基づいて最適なＡＰを処理ユニットによって特定することを含む。
【００１５】
第２のチップは、最適なＡＰ以外の任意のＡＰを介してＷＬＡＮに予め接続され得る。方法はさらに、第２のチップが、最適なＡＰ以外の任意のＡＰを介してＷＬＡＮに予め接続される場合に、処理ユニットにより、最適なＡＰ以外のこの任意のＡＰから第２のチップを切断することを含む。方法はさらに、処理ユニットが、第２のチップを最適なＡＰを介してＷＬＡＮに接続することを含む。
【００１６】
持続性のコンピュータ可読の記憶媒体も開示される。記憶媒体は、そこに記憶される命令を有する。命令が上記のように処理ユニットによって実行される場合、上記のようなワイヤレス通信デバイスにおいて、上記の方法のステップが成される。
【図面の簡単な説明】
【００１７】
【図１】１つまたは複数のワイヤレス通信デバイスが動作する複数のアクセスポイント（ＡＰ）を有するＷＬＡＮ環境を示す図である。
【００１８】
【図２】データをワイヤレスに送信および受信するように動作可能なデバイスを示す図である。
【００１９】
【図３】データをワイヤレスに送信および受信するように動作可能なデバイスにおいて実行される方法を示すフローチャートである。
【００２０】
【図４】ＩＳＭワイヤレスバンドにおけるワイヤレス通信信号の周波数範囲と、３Ｇ信号および４Ｇ  ＬＴＥ信号の周波数範囲とのチャートを示す図である。
【発明を実施するための形態】
【００２１】
本開示は、信号が、ＷＬＡＮで且つＬＴＥ規格に従って、同時に送信および受信されるデバイスとのワイヤレス通信に関する。ＷＬＡＮ信号およびＬＴＥ信号に適応するデバイスは、２つの専用のチップを用いてこれらの信号を処理するのが通常である。即ち、ＷＬＡＮ信号を処理するための１つのチップと、ＬＴＥ信号を処理するためのもう１つのチップである。本明細書においてＷＬＡＮチップまたはＬＴＥチップに対してなされる言及は、ＷＬＡＮ信号またはＬＴＥ信号を処理するそれぞれのチップに対する言及である。
【００２２】
ワイヤレス通信デバイスは、従来、ＷＬＡＮチップによるＷＬＡＮ信号の処理に及ぼすＬＴＥ信号の影響を考慮しておらず、同様に、ＬＴＥチップによるＬＴＥ信号の処理に及ぼすＷＬＡＮ信号の影響を考慮していない。上述のように、これらの影響にはブロッキングおよび相互変調が含まれる。本明細書において記載および主張される実施形態は、ＷＬＡＮチップとＬＴＥチップの全体のスループットへの同時ＬＴＥ通信の影響を考慮するとき、ＷＬＡＮチップにより、ＷＬＡＮにおける最適なアクセスポイント（ＡＰ）を識別し、その最適なＡＰに接続することに注目する。
【００２３】
本明細書に記載する機能性のほとんどは、デジタル信号プロセッサやソフトウェア、および／または特定用途向けの集積回路（ＩＣ）などのソフトウェアまたはＩＣに実装され得る。
【００２４】
本発明の様々な原則およびその組合せが、同時に存在するＷＬＡＮ信号およびＬＴＥ信号それぞれのブロッキングおよび相互変調を削減するために有利に用いられる。ＩＳＭバンドにおけるワイヤレス通信信号の性質を理解するとともに、３Ｇ信号、４Ｇ信号、および４Ｇ  ＬＴＥ信号の性質と、それらの信号が伝搬する周波数とを理解することは、開示する実施形態によりこれがどのように達成されるかを理解する助けとなり得る。ＩＳＭバンドにおけるワイヤレス通信信号と、３Ｇ信号および４Ｇ信号との周波数範囲のチャート４００を示す図４は、この点に関して有用であり得る。
【００２５】
チャート４００は最初に、２４００ＭＨｚ〜２４８３．５ＭＨｚでＩＳＭバンド４０１の一部において信号を伝搬する、２つの異なるワイヤレス技術を示す。具体的には、上記のように８０２．１１／ＷｉＦｉ規格に従って生成された信号であるＷＬＡＮ信号４０７は、２．４ＧＨｚのＩＳＭバンド内のいくつかのチャンネル（国毎に異なる）で伝搬され、チャート４００においては単におよそ２４５０ＭＨｚと述べられている。Ｂｌｕｅｔｏｏｔｈ（商標）４０９信号は、周波数ホッピング拡散スペクトルによって生成される。このスペクトルは、送信されたデータを刻み、そのチャンク（まとまり）を最大７９バンドで送信する。この７９バンドは、２４００〜２４８３．５ＭＨｚの範囲において、１ＭＨｚ離間され、２４０２〜２４８０ＭＨｚに集中している。
【００２６】
チャート４００から理解できるように、Ｂｌｕｅｔｏｏｔｈ（商標）４０９信号およびＷＬＡＮ４０７信号は、様々な３Ｇ規格および４Ｇ規格に従って生成された信号に対して、隣接する周波数帯域を共有している。例えば、ＬＴＥ信号は、どの国や世界の地域でデバイスが動作しているかに応じて、様々なモードに従って生成される。ヨーロッパでは、参照番号４１３により示す、３ＧＰＰバンド７で周波数分割二重通信（ＦＤＤ）を用いて伝達されるＬＴＥ信号は、２５００〜２５７０ＭＨｚの間の周波数範囲においてアップリンク（送信）される。
【００２７】
３ＧＰＰバンド７送信の周波数範囲が、ＷＬＡＮ信号の周波数範囲と近接しているので、ＷＬＡＮチップによるＷＬＡＮ信号のダウンリンク（受信）がブロックされ得る。それゆえ、ヨーロッパでは、ＬＴＥ信号４１３が２５００ＭＨｚで送信される場合、２５００ＭＨｚのＬＴＥ信号がワイヤレス通信デバイスのＷＬＡＮチップにより受信されるのを防ぐべく、フィルタがない可能性があり、また、拡散が十分でないかもしれない。それゆえ、２４８０ＭＨｚの実際の同時のＷＬＡＮ信号がＷＬＡＮチップにより受信されることから妨害され得る。
【００２８】
チャート４００からさらに理解できるように、中国では、ＬＴＥ信号は、参照番号４０５で示すように、３ＧＰＰバンド４０で時分割二重通信（ＴＤＤ）を用いて伝達および受信される。ＴＤＤを用いて、信号は、２３００〜２４００ＭＨｚの間の同一周波数範囲においてアップリンクおよびダウンリンクされる。３ＧＰＰバンド４０伝送の周波数範囲がＷＬＡＮ信号の周波数範囲に近接しているので、ＷＬＡＮチップによるＷＬＡＮ信号のダウンリンクがブロックされ得る。例えば、中国では、ＬＴＥ信号４０５が２３９０ＭＨｚで送信される場合、２３９０ＭＨｚのＬＴＥ信号が、ワイヤレス通信デバイスのＷＬＡＮチップにより受信されるのを防ぐべく、フィルタがない可能性があり、また、拡散が十分でないかもしれない。それゆえ、２４１０ＭＨｚの実際の同時のＷＬＡＮ信号が、ＷＬＡＮチップによって受信されることから妨害されるであろう。
【００２９】
状況によっては、ＬＴＥチップを対象とした信号のブロッキングも生じ得ることに留意すべきである。中国ではＬＴＥ信号４０５が同一周波数範囲においてアップリンクおよびダウンリンクされるので、２３９０ＭＨｚのＷＬＡＮ信号が、例えば、ワイヤレス通信デバイスのＬＴＥチップにより受信されることを防ぐべく、フィルタがない可能性があり、また、拡散が十分でないかもしれない。それゆえ、２３９０ＭＨｚの実際の同時のＬＴＥが、ＬＴＥチップによって受信されることからブロックされるであろう。
【００３０】
上述のように、ＷＬＡＮ周波数バンドに隣接するＬＴＥ周波数バンドの結果として、相互変調も発生する。相互変調は、単に、様々な入力の周波数の差である周波数から成る、信号の生成である。それゆえ、２つのチャンネルで同時にＬＴＥ信号とＷＬＡＮ信号の両方を同時にアップリンクする結果として、相互変調された信号が第３のチャンネルにおいて受信される。引き起こされた相互変調は、次式によって与えられる。
2 * [Center Frequency (1st) - Center Frequency (2nd)] = Intermodulated Signal
２＊［中心周波数（１ｓｔ）−中心周波数（２ｎｄ）］＝相互変調された信号
【００３１】
ヨーロッパでは、ＬＴＥ信号は、２６２０〜２６９０ＭＨｚの間の周波数範囲において、参照番号４１７によって示すように、３ＧＰＰバンド７でＦＤＤを用いてダウンリンクされる。ＬＴＥチップが、３ＧＰＰバンド７アップリンク（４１３）でＬＴＥ信号をアップリンクし、同時にＷＬＡＮチップが、８０２．１１規格に従ってＷＬＡＮ信号を送信する場合、３ＧＰＰバンド７ダウンリンク（４１７）で受信される信号は、相互変調され得る。それゆえ、例えば、相互変調された信号は、次式と等しい。
2 [Center Frequency (WLAN Signal) - Center Frequency (LTE Signal)] -> 2 [Center Frequency (WLAN Signal) - 2525 MHz on Channel 1] = Intermodulation on 2645 MHz at 3 GPP B7 Downlink 417
２［中心周波数（ＷＬＡＮ信号）−中心周波数（ＬＴＥ信号）］→２［中心周波数（ＷＬＡＮ信号）−チャンネル１の２５２５ＭＨｚ］＝３ＧＰＰバンド７ダウンリンク４１７の２６４５ＭＨｚでの相互変調
【００３２】
チャート４００は、ＷｉＭＡＸバンド１（４０３）で伝達されるＷｉＭＡＸ信号が、２３００〜２４００ＭＨｚの周波数範囲においてＦＤＤおよびＴＤＤを用いて処理されることも示すことに留意すべきである。さらに、ＷｉＭＡＸバンド３Ａ（４１１）で伝達されるＷｉＭＡＸ信号は、２４６９〜２６９０ＭＨｚの周波数範囲においてＦＤＤおよびＴＤＤを用いて処理される。最後に、チャート４００からさらに理解できるように、ＬＴＥ信号は、参照番号４１５によって示すように、３ＧＰＰバンド３８でＴＤＤを用いて伝達および受信される。ＴＤＤを用いて、信号は、２７５０〜２６２０ＭＨｚの間の同一周波数範囲においてアップリンクおよびダウンリンクされる。信号のＷＬＡＮまたはＢｌｕｅｔｏｏｔｈ（商標）による送信および受信を考慮して検討する場合、上記の信号の全てがブロッキングおよび相互変調の問題の影響を受ける。
【００３３】
ワイヤレス通信デバイスがＷＬＡＮおよびＬＴＥネットワークで同時に通信するであろう様々な物理的なロケーションがある。このようなロケーションの例には、モール、レストラン、職場、運動用アリーナ等がある。これらの領域では、ワイヤレス通信デバイスは、さらにルータに（有線ネットワークを介して）接続されるか、それ自身がルータであるワイヤレスＡＰを用いて、８０２．１１規格に従って通信する。
【００３４】
ワイヤレス通信デバイスがＷＬＡＮで動作する各物理的なロケーションにおいて、ＡＰは、規則的な距離間隔で設けられ得る。例えば、一定数の平方メートル毎にＡＰが設けられ得る。こうして、ＡＰのネットワークが形成される。
【００３５】
各ＡＰは、わずかに異なる周波数で（チャンネルとして知られる）動作し得る。このようにして、異なるＡＰ間にネットワーク負荷が拡散され得る。さらに、干渉が減少する。
【００３６】
複数のＡＰを有し、１つまたは複数のワイヤレス通信デバイスが動作するＷＬＡＮ環境を示す図である図１を検討及び説明する。図において理解できるように、複数の個人１０５が存在し、各々がワイヤレス通信デバイスを携帯している。ワイヤレス通信デバイスを携帯する各個人１０５に適応するように、いくつかのＡＰ１０１（ａ）、１０１（ｂ）、１０１（ｃ）が提供され、これらのＡＰを介してワイヤレス通信デバイスは８０２．１１（ＷｉＦｉ）規格を用いて通信できる。
【００３７】
図１において理解できるように、ＡＰ１０１（ａ）、１０１（ｂ）、１０１（ｃ）の各々は、異なるチャンネルで、すなわち、それぞれ、第１のチャンネル、第２のチャンネル、第３のチャンネルで、動作する。第１、第２、および第３のチャンネルというここでの特定の番号付けは、特定の周波数を示すのではなく、第１、第２、および第３のチャンネルがそれぞれ互いに異なることを示すということに留意すべきである。ＷＬＡＮにおけるワイヤレス通信デバイス（個人１０５によって携帯される）は、地理的に最も近接したＡＰを用いて通信するように見えるであろうが、必ずしもそうではない。
【００３８】
むしろ、慣習的に、ワイヤレス通信デバイスは、複数のＡＰの各々を走査し、また、この複数のＡＰの各々のグレードを提供することにより、どのＡＰに接続するかを決定する。各ＡＰのグレードは、例えば、個々のＡＰのパフォーマンススピード性能／容量、ネットワーク負荷、受信信号強度表示（ＲＳＳＩ）、およびＡＰの信号対ノイズ比（ＳＮＲ）を含め、いくつかの要因に基づく。最高グレードのＡＰが、ＷＬＡＮ通信を確立するために個々のワイヤレス通信デバイスによって選択される。しかしながら、慣習的に、ＷＬＡＮ処理に対するＬＴＥ信号の影響、ＬＴＥ処理に対するＷＬＡＮ信号の影響、およびデバイスのスループットに与えるそれらの相互の影響は、考慮されていない。
【００３９】
本発明の原理に従ったワイヤレス通信デバイスは、ＬＴＥ規格に従ってデータを送信および受信するように構成された第１のチップと、この第１のチップと並行してＷＬＡＮでデータを送信および受信する働きをするように構成された第２のチップとを含む。第１のチップおよび第２のチップはともに処理ユニットを形成する。この新規性のあるワイヤレス通信デバイスが図１に示される環境に導入された場合、デバイスは、やはり、ＷＬＡＮ通信が生じ得る、全ての可能性のあるＡＰを走査する。
【００４０】
続いて、処理ユニットは最適なＡＰを特定する。最適なＡＰは、各ＡＰのために、第２のチップによるＷＬＡＮでのデータの送信または受信と同時の、ＬＴＥ規格に従った第１のチップによるデータの送信または受信が、第１のチップおよび第２のチップのスループットを減少させるかどうかを少なくとも判定することを含め、複数の要因に基づいて特定される。特に、任意のＬＴＥ信号が、第２のチップに指定されたＷＬＡＮ信号の受信をブロックするかどうかを判定するために、各異なるＡＰの特定のチャンネルは、隣接するＬＴＥバンドの既知の周波数を考慮して分析される。そうである場合、第２のチップのスループットは減少されるであろう。さらに、第１のチップによって受信された信号が相互変調されるかどうかを判定するために、各異なるＡＰの特定のチャンネルは、隣接するＬＴＥバンドの既知の周波数を考慮して分析される。そうである場合、第１のチップのスループットはやはり減少される。
【００４１】
最適なＡＰの特定は、ワイヤレス通信デバイスがＷＬＡＮの範囲内にあるとすぐに決定され、かつデバイスが、このＷＬＡＮの範囲内に維持される限りは決定され続けるということに留意すべきである。それゆえ、最適のＡＰに接続する前に、処理ユニットは、第２のチップが最適のＡＰ以外のＡＰに予め接続されているかどうかを判定する。第２のチップが、最適のＡＰ以外のＡＰを介してＷＬＡＮに予め接続されている場合、第２のチップは、この最適でないＡＰから切断される。続いて、第２のチップは最適のＡＰに接続される。上記で使用される「接続される」という表現は単に、第２のチップが、特定のＡＰによって使用されている特定のチャンネルでデータを送信および受信するように構成されることを意味する。「切断」という表現は単に、データが特定のチャンネルでもはや送信および受信されないことを示している。
【００４２】
上述のように、従来、ＷＬＡＮデバイスが接続するＡＰを決定する際に考慮されるいくつかの要因がある。そしれこれらの要因も、個々のＡＰのパフォーマンススピード性能／容量、ネットワーク負荷、ＲＳＳＩ、およびＳＮＲを含み得る。この列挙は、包括的であることを意図していない。これらおよびその他の要因も、ワイヤレス通信デバイスのために最適なＡＰの特定にあたってさらに含まれ得る。
【００４３】
具体的には、最適のＡＰを特定することは、上記の要因に基づいて、複数のＡＰの各々の初期のグレードを提供することを含む。このようなグレーディングは、上記のとおり従来実施されている。しかしながら、特定のＡＰの第２のチップによるＷＬＡＮでのデータの送信および受信と同時の、ＬＴＥ規格に従った第１のチップによるデータの送信および受信が、特定のＡＰの第１のチップおよび第２のチップの全体のスループットを減少させるであろうことを決定する場合に、この特定のＡＰのグレードは下方に調整される。複数のＡＰのグレードの各々が、第１のチップおよび第２のチップの全体のスループットへの同時のＷＬＡＮ信号およびＬＴＥ信号の影響を補償するように調整が一旦されると、最高グレードのＡＰが特定され得る。
【００４４】
上記のグレーディングの概要の一例が、ここで次のように次の表に与えられる。
【表１】
2015523832.tif 000003
【００４５】
この例では、表１において理解できるように、所与のＷＬＡＮにおいて、ＡＰ（１）、ＡＰ（２）、ＡＰ（３）、およびＡＰ（４）の４つのアクセスポイントがある。上記のように、各ＡＰには、いくつかの要因に基づく初期のスコアおよび／またはグレードが提供される。ある意味で、全ての要因が、ＷＬＡＮにおいて使用されているワイヤレス通信デバイスのスループットに最終的に関連する。
【００４６】
ＲＳＳＩやＳＮＲなどの要因が信号品質に関連するが、これらの要因を考慮しても、究極の懸念は、どれ程のデータがワイヤレス通信デバイスによって所定の時間期間に確実に処理され得るか、ということである。この例では、ＷＬＡＮデータ通信とＬＴＥデータ通信の両方の観点から（但し、同時のＷＬＡＮ通信およびＬＴＥ通信は考慮しない）ワイヤレス通信デバイスの全体のスループットを反映する初期のスコアが与えられる。例えば、ＡＰ（１）にはグレード４２が提供され、ＡＰ（２）にはグレード５６が提供され、ＡＰ（３）にはグレード５８が提供され、ＡＰ（４）にはグレード６４が提供される。
【００４７】
表１に見られるように、グレードが６４であるＡＰ（４）は、１位にランク付けされるＡＰである。それゆえ、従来、ＷＬＡＮおよびＬＴＥ通信が可能なワイヤレス通信デバイスは、ＡＰ（４）に割り当てられたチャンネルで、ＷＬＡＮ信号を送信および受信するであろう。しかしながら、各異なるＡＰのために、ワイヤレス通信デバイスは、ＷＬＡＮでの（ＷＬＡＮチップによる）データの受信が、ＬＴＥ規格に従ったＬＴＥチップによるデータの同時の送信によってブロックされるかどうかを判定する。ワイヤレス通信デバイスは、さらに、各異なるＡＰのために、ＷＬＡＮでの第２のチップによるデータの送信が、ＬＴＥ規格に従ったＬＴＥチップによる信号の受信の間相互変調を引き起こすかどうかを判定する。
【００４８】
これらの付加的な検討事柄を考慮すると、ＷＬＡＮチップとＬＴＥチップの全体のスループットが減少される場合、グレードは下方に調整される。それゆえ、表１において、ＡＰ（１）には調整されたグレード４０が提供されるが、ＡＰ（２）の初期のグレードは変化しないことが理解され得る。これは、勿論、ＡＰ（２）を介した同時のＷＬＡＮ信号およびＬＴＥ信号の処理によるスループットの損失がないことを示している。
【００４９】
ＡＰ（３）には調整されたグレード５４が提供され、ＡＰ（４）には調整されたグレード５２が提供される。それゆえ、４つのＡＰのうちの３つが、これらのＡＰを介したＷＬＡＮ信号とＬＴＥ信号の同時の処理により、ある種の下方へのグレーディングを受ける。調整されたグレードが各ＡＰに提供されると、特定のＷＬＡＮにおいて動作する複数のＡＰのうちのどれが、最高の調整されたグレードを備えるかを判定する。表１の例において、最初に３番目に低いグレードを備えたＡＰ（２）が、ここで最高のグレード（５６であり、第１にランク付けされる）を有する。このように、検討中の特定のワイヤレス通信デバイスは、ＡＰ（２）が動作するチャンネルでＷＬＡＮ通信を処理するべきである。
【００５０】
図２は、データをワイヤレスに送信および受信可能なデバイス２０１を示す。ワイヤレス通信デバイス２０１は、トンラシーバ２２１、処理ユニット２０３、第１の（ＬＴＥ）チップ２０５、第２の（ＷＬＡＮ）チップ２０７、メモリ２０９、ディスプレイメカニズム２２３、キーパッドおよび／またはタッチスクリーン２２５、スピーカ２２７、および音声増幅メカニズム２２９を含む。第１のチップ２０５および第２のチップ２０７を含む処理ユニット２０３は、１つまたは複数のマイクロプロセッサおよび／あるいは１つまたは複数のデジタル信号プロセッサを含み得る。処理ユニット２０３の特定の処理機能は、両チップ２０５、２０７とは無関係のマイクロプロセッサによって実行され得る。
【００５１】
メモリ２０９は、処理ユニット２０３と、第１のチップ２０５および第２のチップ２０７とに接続され得、リードオンリメモリ（ＲＯＭ）、ランダムアクセスメモリ（ＲＡＭ）、プログラマブルＲＯＭ（ＰＲＯＭ）、および／または電気的消去可能なリードオンリメモリ（ＥＥＰＲＯＭ）を含み得る。メモリ２０９は、とりわけ、第１のチップ２０５および第２のチップ２０７を含む処理ユニット２０３によって実行されるコンピュータプログラムのための、オペレーティングシステム、データ、および変数２１１を記憶するための複数の記憶場所を含み得る。コンピュータプログラムにより、第１のチップ２０５および第２のチップ２０７を含む処理ユニット２０３は、ここで述べたような様々な機能に関連して動作することとなる。
【００５２】
第１の機能２１３が、処理ユニット２０３に複数のＡＰを決定させ、この複数のＡＰを介してデータがＷＬＡＮで第２のチップによって送信および受信され得る。第２の機能２１５が、処理ユニット２０３に、各異なるＡＰに対し、第２のチップ２０７によるＷＬＡＮでのデータの送信または受信と同時の、ＬＴＥ規格に従った第１のチップ２０５によるデータの送信または受信が、第１のチップ２０５と第２のチップ２０７の全体のスループットを減少させるかどうかを、少なくとも決定することを含め、複数の要因に基づいて最適なＡＰを特定させる。
【００５３】
第３の機能２１７が、処理ユニット２０３に、第２のチップ２０７が最適のＡＰ以外のＡＰを介してＷＬＡＮに予め接続される場合に、最適のＡＰ以外のそのＡＰから第２のチップ２０７を切断させる。第４の機能２１９が、処理ユニット２０３に、最適のＡＰを介してＷＬＡＮに第２のチップ２０７を接続させる。メモリ２０９は付加的に、本明細書において具体的に言及されないその他のデータを記憶するための様々なデータベース２２０を含む。
【００５４】
ディスプレイメカニズム２２３、キーボードおよび／またはタッチスクリーン２２５、スピーカ２２７、および音声増幅メカニズム２２９は、それぞれ、必要に応じて従来の電気通信機能を提供する働きをする。トランシーバ２２１が、ＷＬＡＮネットワーク上ともにＬＴＥ規格に従って信号を処理するための、複数のアンテナまたは単一のアンテナを含み得ることに留意すべきである。
【００５５】
図３は、ワイヤレスにデータを送信および受信可能なデバイスにおいて実装される方法を示すフローチャートである。３０１で、方法はスタートする。方法が実装されるデバイスは、ＬＴＥ規格に従ってデータを送信および受信する第１のチップと、第１のチップと並行して動作し、また、ＷＬＡＮでデータを送信および受信する第２のチップとを備える処理ユニットを含む。方法は、３０３で、処理ユニットにより複数のＡＰを決定することを含み、この複数のＡＰを介して、データはＷＬＡＮで第２のチップにより送信および受信され得る。
【００５６】
方法はさらに、３０５で、各異なるＡＰのために、第２のチップによるＷＬＡＮでのデータの送信または受信と同時の、ＬＴＥ規格に従った第１のチップによるデータの送信または受信が、第１のチップと第２のチップの全体のスループットを減少させるかどうかを少なくとも決定することを含め、複数の要因に基づき最適なＡＰを特定することを含む。３０７で、方法はさらに、第２のチップが、最適なＡＰ以外のＡＰを介してＷＬＡＮに予め接続される場合に、処理ユニットにより、最適なＡＰ以外のこのＡＰから第２のチップを切断することを含む。方法は最後に、３０９で、処理ユニットが最適のＡＰを介してＷＬＡＮに第２のチップを接続させることを含む。３１１で方法は終了する。
【００５７】
「ワイヤレス通信ユニット」という用語は、ユーザと通常は関連したデバイスと、例えばサービス契約に従った公衆ネットワークにより、または企業ネットワークなどの私的なネットワーク内で使用され得るワイヤレス携帯デバイスとを意味する。このようなユニットが、異なるネットワークにおける動作のために配置および構築されるならば、このようなユニットの例には、パーソナルデジタルアシスタント、パーソナルアサイメントパッド、ワイヤレス動作を備えたパーソナルコンピュータ、携帯電話機またはデバイス、あるいはこれらの均等物が含まれる。
【００５８】
「ワイヤレスローカルエリアネットワークでのデータの送信および受信」または「ＷＬＡＮでのデータの送信および受信」という表現は、８０２．１１規格または商業的に利用可能なＷｉＦｉ規格に従って生じるワイヤレス通信デバイスによるあらゆる送信または受信を含む。本開示はＩＳＭバンドにおける８０２．１１通信を強調し得るが、本開示に記載された原則は、２０００〜２４８３．５ＭＨｚの間のＩＳＭバンドの一部におけるＢｌｕｅｔｏｏｔｈ（商標）通信にも同様に適用できる。より具体的には、同時のＷＬＡＮ通信およびＬＴＥ通信を対象とした特許請求の範囲と同等の範囲から成る、同時のＢｌｕｅｔｏｏｔｈ（商標）通信およびＬＴＥ通信を対象とした任意の特許請求の範囲が、本開示によってサポートされるとみなすべきである。
【００５９】
「ロングタームエボリューション規格に従ってデータを送信および受信する」または「ＬＴＥ規格に従ってデータを送信および受信する」という表現は、国際電気通信連合によるＩｎｔｅｒｎａｔｉｏｎａｌ  Ｍｏｂｉｌｅ  Ｔｅｌｅｃｏｍｍｕｎｉｃａｔｉｏｎｓ‐２０００（ＩＭＴ‐２０００）仕様を実行する第３世代移動通信に基づく、または、Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ（ＩＭＴ‐Ａｄｖａｎｃｅｄ）仕様と名付けられた、４Ｇ規格のために２００８年３月に国際電気通信連合無線部門（ＩＴＵ−Ｒ）が規定した一連の要件に基づく、あらゆる送信または受信を含む。
【００６０】
しかしながら、モバイルＷｉＭＡＸおよびＬＴＥの最初のリリースバージョンが、ＩＭＴ‐Ａｄｖａｎｃｅｄ仕様の１Ｇビット／ピークビットレートよりもはるかに低いレートをサポートすることがよく知られているように、「ＬＴＥ規格に従ってデータを送信および受信する」という表現は、３ＰＰプロジェクトのリリース８およびリリース９に従って設計されたものを含め、商業的に既知の任意のＬＴＥ規格の下で信号を処理することを含むと理解すべきである。さらに、「ＬＴＥ規格に従ってデータを送信および受信する」という表現は、ＩＥＥＥ８０２．１６下の規格のＷｉＭＡＸファミリーに従って通信を処理することを含むと理解すべきである。
【００６１】
請求される発明の範囲内で、多くの改変がなされ得、多くのその他の実施形態が可能であることを当業者は理解するであろう。
【図１】
2015523832.tif 000004
【図２】
2015523832.tif 000005
【図３】
2015523832.tif 000006
【図４】
2015523832.tif 000007
【国際調査報告】
2015523832.tif 000008
2015523832.tif 000009